(57)【要約】【課題】印刷ジョブを用いて表示装置に画像データを表示する場合に、画像データを表示させるときのユーザの操作性を向上させる。【解決手段】画像処理装置は、画像データを印刷するための印刷命令を送信して、外部装置としての表示装置に画像データを表示させる画像処理装置であって、記憶媒体に記憶された画像データを表示する表示手段と、前記表示手段により画像データを表示する表示形態を選択する選択手段と、前記表示装置と接続した状態であり、かつ前記選択手段により一画面に複数の画像データを表示する表示形態が選択された場合、１枚の用紙に複数の画像データを印刷するインデックス印刷の命令を前記表示装置に送信する送信手段とを有する。【選択図】図６
2011035448.tif 000002
【特許請求の範囲】
【請求項１】
画像データを印刷するための印刷命令を送信する画像処理装置と前記印刷命令に基づき前記画像データを表示する表示装置とを有する画像表示システムであって、
前記画像処理装置は、
記憶媒体に記憶された画像データを表示する表示手段と、
前記表示手段により画像データを表示する表示形態を選択する選択手段と、
前記表示装置と接続した状態であり、かつ前記選択手段により一画面に複数の画像データを表示する表示形態が選択された場合、１枚の用紙に複数の画像データを印刷するインデックス印刷の命令を前記表示装置に送信する送信手段とを有し、
前記表示装置は、
前記画像処理装置から送信されたインデックス印刷の命令を受信する受信手段と、
前記受信手段により受信されたインデックス印刷の命令に対応する複数の画像データを表示する表示手段とを有することを特徴とする画像表示システム。
【請求項２】
画像データを印刷するための印刷命令を送信して、外部装置としての表示装置に画像データを表示させる画像処理装置であって、
記憶媒体に記憶された画像データを表示する表示手段と、
前記表示手段により画像データを表示する表示形態を選択する選択手段と、
前記表示装置と接続した状態であり、かつ前記選択手段により一画面に複数の画像データを表示する表示形態が選択された場合、１枚の用紙に複数の画像データを印刷するインデックス印刷の命令を前記表示装置に送信する送信手段とを有することを特徴とする画像処理装置。
【請求項３】
通信中の外部装置が表示装置であるか印刷装置であるかを判定する外部装置判定手段を更に有し、
前記外部装置判定手段により通信中の外部装置が表示装置であると判定された場合、
前記送信手段は、前記インデックス印刷の命令を前記表示装置に送信することを特徴とする請求項２に記載の画像処理装置。
【請求項４】
被写体を撮像する撮像手段を更に有することを特徴とする請求項２又は３に記載の画像処理装置。
【請求項５】
外部装置としての画像処理装置から受信した印刷命令に基づき画像データを表示する表示装置であって、
前記画像処理装置から送信された１枚の用紙に複数の画像データを印刷するインデックス印刷の命令を受信する受信手段と、
前記受信手段により受信されたインデックス印刷の命令に対応する複数の画像データを表示する表示手段とを有することを特徴とする表示装置。
【請求項６】
前記受信手段により受信されたインデックス印刷の命令に対応する複数の画像データを受信する画像データ受信手段と、
前記画像データ受信手段により受信された複数の画像データを一画面に配置した画像データを作成する画像作成手段とを更に有し、
前記表示手段は、前記画像作成手段により作成された画像データを表示することを特徴とする請求項５に記載の表示装置。
【請求項７】
前記表示装置は、画像データを投写するプロジェクタであることを特徴とする請求項５又は６に記載の表示装置。
【発明の詳細な説明】
【技術分野】
【０００１】
本発明は、デジタルスチルカメラ等で撮影した画像データを接続した表示装置に表示する画像表示システム、画像処理装置及び表示装置に関するものである。
【背景技術】
【０００２】
近年、デジタルスチルカメラ（以下、カメラ）からＰＣを介さず、フォトダイレクトプリンタ（以下、ＰＤプリンタという）に直接、デジタル静止画像を送信してプリントするダイレクトプリントシステムが知られている。このダイレクトプリントシステムでは、カメラとＰＤプリンタとが異なるメーカの製品であってもカメラからＰＤプリンタへのダイレクトプリントを可能にするためにピクトブリッジ（ＰｉｃｔＢｒｉｄｇｅ）と呼ばれる規格が用いられている。このピクトブリッジでは、１枚の画像を１枚の用紙に印刷するシングル印刷と複数枚の画像を１枚の用紙に印刷するインデックス印刷との２種類の印刷方法がある。このようにレイアウトを指定して印刷したい場合、コマンドのコメント部分に独自のコマンドを埋め込み、この独自コマンドをカメラとＰＤプリンタとが解釈することでユーザの意図したレイアウトでの印刷を可能する技術がある（特許文献１、２参照）。
【先行技術文献】
【特許文献】
【０００３】
【特許文献１】特開２００２−９３８５０号公報
【特許文献２】特開２００２−８８３７６号公報
【発明の概要】
【発明が解決しようとする課題】
【０００４】
ここで、印刷ジョブを用いた画像データの送信をプリンタでなく液晶プロジェクタ等の表示装置への表示に用いることが考えられる。具体的には、カメラが表示させたい画像データの印刷ジョブを生成し表示装置に送信する。そして、表示装置は、印刷ジョブを受信して、受信した印刷ジョブに対応する画像データを表示することが考えられる。しかしながら、印刷ジョブを用いた画像データの送信の場合、カメラは表示装置に対して表示レイアウト等の具体的な表示方法を指定する必要が生じ、ユーザに複雑な操作が強いられる恐れがある。
本発明は、上述したような問題点に鑑みてなされたものであり、印刷ジョブを用いて表示装置に画像データを表示する場合に、画像データを表示させるときのユーザの操作性を向上させることを目的とする。
【課題を解決するための手段】
【０００５】
本発明の画像表示システムは、画像データを印刷するための印刷命令を送信する画像処理装置と前記印刷命令に基づき前記画像データを表示する表示装置とを有する画像表示システムであって、前記画像処理装置は、記憶媒体に記憶された画像データを表示する表示手段と、前記表示手段により画像データを表示する表示形態を選択する選択手段と、前記表示装置と接続した状態であり、かつ前記選択手段により一画面に複数の画像データを表示する表示形態が選択された場合、１枚の用紙に複数の画像データを印刷するインデックス印刷の命令を前記表示装置に送信する送信手段とを有し、前記表示装置は、前記画像処理装置から送信されたインデックス印刷の命令を受信する受信手段と、前記受信手段により受信されたインデックス印刷の命令に対応する複数の画像データを表示する表示手段とを有することを特徴とする。
本発明の画像処理装置は、画像データを印刷するための印刷命令を送信して、外部装置としての表示装置に画像データを表示させる画像処理装置であって、記憶媒体に記憶された画像データを表示する表示手段と、前記表示手段により画像データを表示する表示形態を選択する選択手段と、前記表示装置と接続した状態であり、かつ前記選択手段により一画面に複数の画像データを表示する表示形態が選択された場合、１枚の用紙に複数の画像データを印刷するインデックス印刷の命令を前記表示装置に送信する送信手段とを有することを特徴とする。
本発明の表示装置は、外部装置としての画像処理装置から受信した印刷命令に基づき画像データを表示する表示装置であって、前記画像処理装置から送信された１枚の用紙に複数の画像データを印刷するインデックス印刷の命令を受信する受信手段と、前記受信手段により受信されたインデックス印刷の命令に対応する複数の画像データを表示する表示手段とを有することを特徴とする。
【発明の効果】
【０００６】
本発明によれば、印刷ジョブを用いて表示装置に画像データを表示する場合に、画像データを表示させるときのユーザの操作性を向上させることができる。
【図面の簡単な説明】
【０００７】
【図１】画像表示システムの外観構成を示す図である。
【図２】プロジェクタとカメラとの内部構成及び一部外観構成を示す図である。
【図３】ピクトブリッジプロトコルを説明するための図である。
【図４】画像表示システムの動作処理を示すシーケンス図である。
【図５】画像表示システムの動作処理を示すシーケンス図である。
【図６】インデックス表示された画像表示システムの外観構成を示す図である。
【発明を実施するための形態】
【０００８】
以下、図面を参照して、本発明の好適な実施形態について説明する。
本実施形態では、表示装置に印刷ジョブを送信する画像処理装置としてデジタルスチルカメラ（以下、カメラという）を用いる。また、表示装置として、液晶プロジェクタ（以下、プロジェクタという）を用いる。
また、本実施形態ではカメラがデジタル静止画像をプロジェクタに直接送信し、プロジェクタが受信したデジタル静止画像を投写するダイレクトプロジェクションシステム（画像表示システム）について説明する。なお、本実施形態は、本発明を網羅するものではなく、本発明は、下記の形態だけに限定されない。
【０００９】
図１は、ダイレクトプロジェクションシステム全体の外観構成を示す図である。
ダイレクトプロジェクションシステム１は、プロジェクタ１０と、カメラ２０とを含んで構成されている。プロジェクタ１０とカメラ２０とは、例えばＵＳＢ（Universal Serial Bus）ケーブル３００を介して接続されている。本実施形態に係るダイレクトプロジェクションシステム１は、ピクトブリッジを用いてカメラ２０からプロジェクタ１０へのダイレクトプロジェクションを実現している。本実施形態におけるダイレクトプロジェクションは、カメラ２０が印刷ジョブを作成し、プロジェクタ１０に送信する。そして、印刷ジョブを受信したプロジェクタ１０が印刷ジョブに対応する画像データを投写することで、ダイレクトプロジェクションが実現する。一般に、印刷ジョブにはいくつかの種類があり、例えば１つの画像データを１枚の用紙にプリントするための印刷ジョブや、１枚の用紙に複数の画像データをプリントする、いわゆるインデックス印刷のための印刷ジョブ等がある。
【００１０】
図１に示すように、プロジェクタ１０は、操作パネル１０１、映像用ＩＦ１０２、カメラ用ＩＦ１０４を備えている。操作パネル１０１は、ユーザが各種の操作を行うためのものである。カメラ用ＩＦ１０４は、カメラ２０と接続させるためのＵＳＢケーブル３００を接続するインタフェースである。カメラ用ＩＦ１０４は、カメラ２０との接続用のインタフェース回路（ＵＳＢのホスト側インタフェース回路）としても機能する。
【００１１】
また、カメラ２０は、ＬＣＤ画面２０１、操作ボタン２０２、駆動モード切替スイッチ２０３、ダイレクトアウトプットボタン２０４、決定ボタン２０５、シャッターボタン２０６、表示枚数切替スイッチ２０７、ＵＳＢ用ＩＦ２１２を備えている。
ＬＣＤ画面２０１には、撮像素子であるＣＣＤ２１１（図２参照）に入射される光の像やメモリカード２１６（図２参照）に記憶された撮像したデジタル静止画像（以下、画像データという）等が表示される。操作ボタン２０２は、ユーザが各種の操作を行うためのボタンである。駆動モード切替スイッチ２０３は、ユーザが駆動モードを写真撮影モードや画像データをＬＣＤ画面２０１に表示する画像表示モード等に切り替えるスイッチである。
【００１２】
ダイレクトアウトプットボタン２０４は、ＵＳＢケーブル３００を介して接続されたプロジェクタ１０に対しピクトブリッジを用いてダイレクトプロジェクションを行うことをユーザが指示するボタンである。決定ボタン２０５は、ユーザが操作の決定をカメラ２０に指示するボタンである。表示枚数切替スイッチ２０７は、カメラ２０の駆動モードが画像表示モードの場合に、ＬＣＤ画面２０１に表示させる画像データの表示形態をユーザが切り替えるためのスイッチである。具体的には、ＬＣＤ画面２０１の一画面に表示される画像の枚数を切り替えることができる。ＵＳＢ用ＩＦ２１２は、ＵＳＢケーブル３００を接続するインタフェースである。ＵＳＢ用ＩＦ２１２は、プロジェクタ１０との接続用のインタフェース回路（ＵＳＢのスレーブ側インタフェース回路）としても機能する。
【００１３】
上述したように構成されるダイレクトプロジェクションシステム１では、カメラ２０のＬＣＤ画面２０１に表示された画像データ（図１では画像Ａ２５０）と同じ画像データがプロジェクタ１０にも表示される。つまり、画像ＡがＬＣＤ画面２０１に表示されることに応じて、カメラ２０は、画像Ａ２５０の印刷ジョブを発行し、プロジェクタ１０に送信する。
【００１４】
次に、図２は、プロジェクタ１０とカメラ２０との内部構成及び一部外観構成を示す図である。
プロジェクタ１０は、上述した操作パネル１０１、映像用ＩＦ１０２、カメラ用ＩＦ１０４に加え、ＣＰＵ（プロジェクタ側）１０３、投写エンジン１０５、ＲＯＭ１０６、ＲＡＭ１０７を有している。
ＣＰＵ１０３は、プロジェクタ１０全体の制御を行う。ＣＰＵ１０３には、ＰＴＰ（Ｐｉｃｔｕｒｅ  Ｔｒａｎｓｆｅｒ  Ｐｒｏｔｏｃｏｌ）形式のコマンドとピクトブリッジ形式のコマンドとのデコーダ１０９及びエンコーダ１１０を備えている。なお、デコーダ１０９とエンコーダ１１０とは、後述する図３に示すようなピクトブリッジの通信プロトコルアーキテクチャの構成を取っている。
【００１５】
投写エンジン１０５は、液晶パネル、その駆動ドライバ、レンズ、その駆動系及び光源で構成されている。投写エンジン１０５は、カメラ２０から受信した画像データや映像用ＩＦ１０２で受信した映像を投写して表示する。ＲＯＭ１０６には、ＣＰＵ１０３の処理手順を記述した制御プログラムが記憶されている。ＲＡＭ１０７は、カメラ２０から受信した画像データを一時的に記憶する等のワークメモリとして機能する。これらの各構成部の間におけるデータの送受信は、内部バス１１８を介して行われる。
【００１６】
次に、カメラ２０は、上述したＬＣＤ画面２０１、操作ボタン２０２、駆動モード切替スイッチ２０３、ダイレクトアウトプットボタン２０４、決定ボタン２０５、シャッターボタン２０６、表示枚数切替スイッチ２０７、ＵＳＢ用ＩＦ２１２を備えている。なお、図２では、操作ボタン２０２、駆動モード切替スイッチ２０３、ダイレクトアウトプットボタン２０４、決定ボタン２０５、シャッターボタン２０６、表示枚数切替スイッチ２０７を操作部として示している。
また、カメラ２０は、ＣＰＵ２０８（カメラ側）、光学ユニット２０９、光学ユニット制御用ドライバ２１０、ＣＣＤ２１１、ＲＯＭ２１３、ＬＣＤ画面表示用ＶＲＡＭ（ＲＡＭ）２１４、メモリカードコネクタ２１５を有している。
【００１７】
ＣＰＵ２０８は、カメラ２０全体を制御する。ＣＰＵ２０８には、ＰＴＰ（Ｐｉｃｔｕｒｅ  Ｔｒａｎｓｆｅｒ  Ｐｒｏｔｏｃｏｌ）形式のコマンドとピクトブリッジ形式のコマンドとのデコーダ２１８及びエンコーダ２１９を備えている。なお、デコーダ２１８とエンコーダ２１９とは、後述する図３に示すようなピクトブリッジの通信プロトコルアーキテクチャの構成を取っている。
【００１８】
また、ＣＰＵ２０８は、ＵＳＢ接続機器判別部２２０、画像処理部２２１を含んでいる。ここで、ＵＳＢ接続機器判別部２２０は、ＵＳＢケーブル３００を介して接続した外部装置が表示装置であるか印刷装置であるかを判断する。また、画像処理部２２１は、駆動モードが画像表示モードの場合、ＬＣＤ画面２０１に表示する画像データに対して画像処理を行う。
【００１９】
光学ユニット２０９は、レンズ及びその駆動系で構成されている。光学ユニット制御用ドライバ２１０は、光学ユニット２０９を制御する。ＣＣＤ２１１は、撮像素子であり、被写体を結像して電気信号に変換する。ＲＯＭ２１３は、ＣＰＵ２０８の処理手順を記述した制御プログラムを記憶している。ＲＡＭ２１４は、画像データを一時的に記憶する等、ＣＰＵ２０８のワークメモリとして機能する。メモリカードコネクタ２１５は、画像データを記録するためのメモリカードを接続するためのコネクタである。これらの各構成部の間におけるデータの送受信は、内部バス２１７を介して行われる。
カメラ２０とプロジェクタ１０との間のデータの送受信は、ＵＳＢ用ＩＦ２１２とＵＳＢケーブル３００とカメラ用ＩＦ１０４とを介して、カメラ２０のＣＰＵ２０８及びプロジェクタ１０のＣＰＵ１０３の制御下で行われる。
【００２０】
次に、図３を参照して、本実施形態において採用されているピクトブリッジの通信プロトコルアーキテクチャを示す。ピクトブリッジでは、物理層にＵＳＢ４０を用いている。また、物理層上のトランスポート層にはＰＴＰを用いている。また、図３に示すように、トランスポート層とアプリケーション層との間には、新たな変換用のレイヤ層であるＤＰＳ層を設けている。このＤＰＳ層では、ＰＴＰの通信プロトコルとＤＰＳアプリケーションとの間のマッピングを行う。ピクトブリッジは、このＤＰＳ層とアプリケーション層とのインタフェースプロトコルを規格化したものである。
【００２１】
次に、図３を参照して、ピクトブリッジのソフトウェアコンポーネントについて説明する。ソフトウェアコンポーネントには、アプリケーション層内にあるＰｒｉｎｔＳｅｒｖｅｒ４３、ＰｒｉｎｔＣｌｉｅｎｔ４４、ＳｔｏｒａｇｅＳｅｒｖｅｒ４５、ＳｔｏｒａｇｅＣｌｉｅｎｔ４６及びＤＰＳ層内にあるＤＰＳＤｉｓｃｏｖｅｒｙ４１、４２がある。
ピクトブリッジでは、カメラ２０側からの印刷命令に応じてプロジェクタ１０側が印刷を実行する際に、プロジェクタ１０側がカメラ２０側に画像データを要求することを想定している。したがって、通常、ユーザがＳｔｏｒａｇｅＣｌｉｅｎｔ４６を意識することはない。ＤＰＳアプリケーションでは、基本的に、Ｃｌｉｅｎｔからの要求に対してＳｅｒｖｅｒが応答し、その結果をＣｌｉｅｎｔに返答するというシーケンスで各ＤＰＳＯｐｅｒａｔｉｏｎが完結する。また、Ｓｅｒｖｅｒから発行される通知に対してＣｌｉｅｎｔが応答して、その受け取り確認をＳｅｒｖｅｒに返答するというシーケンスでＤＰＳＥｖｅｎｔが完結する。
【００２２】
（シングル表示における動作処理）
次に、図４に示すシーケンス図を参照して、ユーザの操作に応じたカメラ及びプロジェクタの動作処理について説明する。ここでは、ＬＣＤ画面２０１に１枚の画像データを表示させるシングル表示について説明する。
まず、ステップＳ１０１において、ユーザは、駆動モード切替スイッチ２０３を操作してカメラ２０の駆動モードを画像表示モードに切り替える。なお、本実施形態では、カメラ２０は、画像表示モードに切り替えられた直後の表示がシングル表示になるように設定されているものとする。
ステップＳ１０２において、カメラ２０のＣＰＵ２０８は、駆動モード切替スイッチ２０３の操作に応じて、メモリカード２１６等の記憶媒体に記憶された画像データを読み出し、読み出した画像データをＬＣＤ画面２０１にシングル表示する。
【００２３】
次に、ステップＳ１０３において、ユーザは、プロジェクタ１０とカメラ２０とをＵＳＢケーブル３００により接続する。
ステップＳ１０４において、ＵＳＢでの接続に応じて、プロジェクタ１０のＣＰＵ１０３とカメラ２０のＣＰＵ２０８とは、ＤＰＳ＿Ｄｉｓｃｏｖｅｒｙで互いの装置がＤＰＳ機能を有する装置であるか否かのネゴシエーションを行う。
互いにＰｉｃｔＢｒｉｄｇｅ対応機器であることを確認した後、ステップＳ１０５において、プロジェクタ１０及びカメラ２０では、ＤＰＳアプリケーションに制御が移行する。そして、両装置は、ＤＰＳ＿ＣｏｎｆｉｇｕｒｅＰｒｉｎｔＳｅｒｖｉｃｅで両装置がどのようなサービス機能を有しているかを互いに通知する。また、両装置は、通信するときに使用するバージョン情報やその他の設定情報も互いに通知する。
【００２４】
ステップＳ１０６において、カメラ２０のＣＰＵ２０８（ＵＳＢ接続機器判別部２２０）は、ＤＰＳ＿ＣｏｎｆｉｇｕｒｅＰｒｉｎｔＳｅｒｖｉｃｅで取得した情報に基づいて、ピクトブリッジで接続された通信中の外部装置が表示装置であると判断する。ここでは、ＵＳＢ接続機器判別部２２０は、外部装置判定手段の一例として機能する。
次に、ステップＳ１０７では、カメラ２０のＣＰＵ２０８は、プロジェクタ１０に対してＤＰＳ＿ＧｅｔＣａｐａｂｉｌｉｔｙで、設定可能な能力情報を要求する。
ステップＳ１０９において、プロジェクタ１０のＣＰＵ１０３は、ＤＰＳ＿ＧｅｔＣａｐａｂｉｌｉｔｙの要求を受けて、投写パネルのサイズや設定可能な能力情報を送信する。
ステップＳ１０９において、カメラ２０のＣＰＵ２０８は、能力情報等を受信する。
【００２５】
次に、ステップＳ１１０では、カメラ２０のＣＰＵ２０８は、ＬＣＤ画面２０１に画像データがシングル表示されていると判定した場合、ＬＣＤ画面２０１に表示している画像データの印刷をプロジェクタ１０に命令する。具体的には、カメラ２０のＣＰＵ２０８は、画像データの識別子（ファイル識別子）と印刷の指示とを記載した印刷ジョブとしての出力Ｊｏｂスクリプト（印刷命令）を作成して、プロジェクタ１０に送信する。
【００２６】
ステップＳ１１１では、プロジェクタ１０のＣＰＵ１０３は、出力Ｊｏｂスクリプトを受信する。
ステップＳ１１２では、プロジェクタ１０のＣＰＵ１０３は、出力スクリプトに記載されたファイル識別子に対応するファイル情報の送信を要求する送信要求情報を作成し、送信要求情報をカメラ２０に送信する。ここで、ファイル情報とは、例えば、ファイル名、ファイルサイズ、ファイル属性等である。
ステップＳ１１３では、カメラ２０のＣＰＵ２０８は、送信要求情報を受信し、送信要求情報に含まれるファイル識別子に対応するファイル情報をプロジェクタ１０に送信する。
ステップＳ１１４では、プロジェクタ１０のＣＰＵ１０３は、ファイル情報を受信する。このように情報を送受信することにより、プロジェクタ１０とカメラ２０とは、両装置の接続が円滑に行われるか否かを直ちに判定することができる。
【００２７】
ステップＳ１１５では、プロジェクタ１０のＣＰＵ１０３は、受信したファイル情報に基づいて、画像データを受信するための準備を行う。具体的には、ＣＰＵ１０３は、ファイルサイズからＲＡＭ１０７の空き容量のチェックを行い、受信可能か否かを判定する。受信可能である場合、ＣＰＵ１０３は、画像データの送信を要求する画像要求情報を作成し、画像要求情報をカメラ２０に送信する。なお、受信可能ではない場合、受信することができない旨の情報をカメラ２０に送信する。
ステップＳ１１６では、カメラ２０のＣＰＵ２０８は、画像要求情報を受信し、画像要求情報で要求されている画像データをプロジェクタ１０に送信する。
【００２８】
ステップＳ１１６では、プロジェクタ１０のＣＰＵ１０３は、画像データを受信し、投写して表示する。
ステップＳ１１７では、プロジェクタ１０のＣＰＵ１０３は、所望の投写を終了した後、その結果をＤＰＳ＿ＮｏｔｉｆｙＤｅｖｉｃｅＳｔａｔｕｓとしてカメラ２０に送信する。
ステップＳ１１８では、カメラ２０のＣＰＵ２０８は、ＤＳＰ＿ＮｏｔｉｆｙＤｅｖｉｃｅＳｔａｔｕｓを受信する。
【００２９】
上述したような動作処理により、投写して表示された画像の一例について、図１を参照して説明する。図１に示すように、ＬＣＤ画面２０１に画像Ａ２５０の一つの画像データのみが表示されている。この場合、プロジェクタ１０は、図１に示すように、画像Ａ２５０と同一の画像Ａを投写する。なお、ＬＣＤ画面２０１には、カメラ２０のＣＰＵ２０８が、画像Ａの撮影日時情報をＯＳＤ（Ｏｎ  Ｓｃｒｅｅｎ  Ｄｉｓｐｌａｙ）２６２で表示している。しかし、上述した動作処理では、カメラ２０のＣＰＵ２０８は、ＯＳＤ２６２の情報をプロジェクタ１０に送信していないので、プロジェクタ１０のＣＰＵ１０３は、ＯＳＤ２６２を投写していない。
【００３０】
（インデックス表示における動作処理）
次に、図５に示すシーケンス図を参照して、ユーザの操作に応じたカメラ及びプロジェクタの動作処理について説明する。ここでは、ＬＣＤ画面２０１に複数の画像データを表示させるインデックス表示について説明する。なお、図５に示すシーケンス図は、図４に示すシーケンス図の動作処理後に行われたものとして説明する。
まず、ステップＳ２０１では、ユーザは、表示枚数切替スイッチ２０７を操作してＬＣＤ画面２０１に表示する画像データの枚数をシングル表示の１枚からインデックス表示の９枚に切り替える。
【００３１】
次に、ステップＳ２０２において、カメラ２０のＣＰＵ２０８は、表示枚数切替スイッチ２０７の操作に応じて、ＬＣＤ画面２０１に表示する９枚の画像データ（画像データＡ〜画像データＩ）をメモリカード２１６から読み出す。
ステップＳ２０３において、カメラ２０のＣＰＵ２０８（画像処理部２２１）は、読み出した画像データに縮小処理等を施し、ＬＣＤ画面２０１にインデックス表示する。
【００３２】
ステップＳ２０４では、カメラ２０のＣＰＵ２０８は、ＬＣＤ画面２０１に表示している９枚の画像データのインデックス印刷をプロジェクタ１０に命令する。具体的には、カメラ２０のＣＰＵ２０８は、９枚の画像データの識別子（ファイル識別子（１〜９））とインデックス印刷の指示とを記載した印刷ジョブとしてのインデックス出力Ｊｏｂスクリプト（印刷命令）を作成する。
ステップＳ２０５では、カメラ２０のＣＰＵ２０８は、作成したインデックス出力Ｊｏｂスクリプトをプロジェクタ１０に送信する。
【００３３】
ステップＳ２０６では、プロジェクタ１０のＣＰＵ１０３は、インデックス出力Ｊｏｂスクリプトを受信する。
ステップＳ２０７では、プロジェクタ１０のＣＰＵ１０３は、インデックス出力Ｊｏｂスクリプトに記載されたファイル識別子（ｎ）に対応するファイル情報の送信を要求する送信要求情報を作成し、送信要求情報をカメラ２０に送信する。なお、最初にステップＳ２０７の処理をするとき、ＣＰＵ１０３は、ファイル識別子（１）に対応するファイル情報の送信のみを要求する送信要求情報を作成する。
ステップＳ２０８では、カメラ２０のＣＰＵ２０８は、送信要求情報を受信し、送信要求情報に含まれるファイル識別子（ｎ）に対応するファイル情報をプロジェクタ１０に送信する。
ステップＳ２０９では、プロジェクタ１０のＣＰＵ１０３は、ファイル情報を受信する。
【００３４】
ステップＳ２１０では、プロジェクタ１０のＣＰＵ１０３は、受信したファイル情報に基づいて、画像データを受信するための準備を行う。具体的には、ＣＰＵ１０３は、ファイルサイズからＲＡＭ１０７の空き容量のチェックを行い、受信可能か否かを判定する。受信可能である場合、ＣＰＵ１０３は、画像データの送信を要求する画像要求情報を作成し、画像要求情報をカメラ２０に送信する。
ステップＳ２１１では、カメラ２０のＣＰＵ２０８は、画像要求情報を受信し、画像要求情報で要求されている画像データをプロジェクタ１０に送信する。
プロジェクタ１０とカメラ２０とは、上述したステップＳ２０７からステップＳ２１２までの処理をインデックス出力Ｊｏｂスクリプトに記載されたファイル識別子の分（ここではｎ＝１〜９）だけ繰り返す。
【００３５】
ステップＳ２１３では、プロジェクタ１０のＣＰＵ１０３は、ステップＳ１１６からステップＳ１２１までの処理を繰り返し、９枚の画像データを受信する。ここで、プロジェクタ１０のＣＰＵ１０３は、画像データ受信手段の一例に対応する。
続いて、プロジェクタ１０のＣＰＵ１０３は、受信した９枚の画像データを一画面に配置したインデックス表示化した画像データを作成する。ここで、プロジェクタ１０のＣＰＵ１０３は、画像作成手段の一例に対応する。プロジェクタ１０のＣＰＵ１０３は、作成したインデックス表示の画像データを投写して表示する。
ステップＳ２１４では、プロジェクタ１０のＣＰＵ１０３は、所望の投写を終了した後、その結果をＤＰＳ＿ＮｏｔｉｆｙＤｅｖｉｃｅＳｔａｔｕｓとしてカメラ２０に送信する。
ステップＳ２１５では、カメラ２０のＣＰＵ２０８は、ＤＳＰ＿ＮｏｔｉｆｙＤｅｖｉｃｅＳｔａｔｕｓを受信する。
【００３６】
上述したような動作処理により、投写された画像の一例について図６を参照して説明する。図６に示すように、ＬＣＤ画面２０１に画像Ａ２５０〜画像Ｉ２５８の９枚の画像がインデックス表示されている。この場合、プロジェクタ１０は、図６に示すように、画像Ａ２５０〜画像Ｉ２５８のインデックス表示を投写する。なお、図６のＬＣＤ画面２０１には、カーソル２６０により画像Ｆ２５５が選択され、選択された画像Ｆ２５５の撮影日時情報のＯＳＤ２６２と、枚数表示を示すＯＳＤ２６１とが表示されている。しかし、上述した動作処理では、カメラ２０のＣＰＵ２０８は、ＯＳＤ２６２、ＯＳＤ２６１の情報をプロジェクタ１０に送信していないので、プロジェクタ１０のＣＰＵ１０３は、ＯＳＤ２６２、ＯＳＤ２６１を表示していない。
【００３７】
このように、本実施形態によれば、インデックス印刷の印刷ジョブを用いることで、プロジェクタでは、容易にインデックス表示を行うことができる。具体的には、カメラとプロジェクタとが接続された状態においてユーザがカメラでインデックス表示の選択を行うことで、プロジェクタは自動的にカメラのＬＣＤ画面に表示されているインデックス表示を表示する。したがって、ユーザは、プロジェクタにおいて、特別な操作を行うことなく、インデックス表示を行うことができる。
【００３８】
なお、上述した実施形態では、撮像したデジタル静止画像を表示する場合について説明したが、この場合に限られない。例えば、撮像されていない画像データを表示する場合であっても適用することができる。
また、上述した実施形態では、インデックス表示として縦横にそれぞれ３枚配置して、計９枚を表示する場合について説明したが、この場合に限られない。例えば縦横にそれぞれ２枚配置して、計４枚を表示するようにしてもよく、その他どのように複数配置してもよい。
また、上述した実施形態では、表示装置としてプロジェクタを例にして説明したが、この場合に限られない。例えば、ディスプレイ等であってもよい。
【００３９】
また、上述した実施形態では、ユーザによる操作に応じて、画像データをＬＣＤ画面に表示する場合について説明したが、この場合に限られない。例えば、カメラに表示されているインデックス表示を自動的に所定時間ごとに切り換えるスライド表示であっても、プロジェクタは同様にインデックス表示を行うことができる。
【符号の説明】
【００４０】
１        ダイレクトプロジェクションシステム
１０      プロジェクタ
２０      カメラ
１０３    ＣＰＵ
１０５    投写エンジン
１０６    ＲＯＭ
１０７    ＲＡＭ
１０９    デコーダ
１１０    エンコーダ
２０１    ＬＣＤ画面
２０２    操作ボタン
２０３    駆動モード切替スイッチ
２０４    ダイレクトアウトプットボタン
２０５    決定ボタン
２０６    シャッターボタン
２０７    表示枚数切替スイッチ
２０８    ＣＰＵ
２１２    ＵＳＢ用ＩＦ
２２０    ＵＳＢ接続機器判別部
２２１    画像処理部
【図１】
2011035448.tif 000003
【図２】
2011035448.tif 000004
【図３】
2011035448.tif 000005
【図４】
2011035448.tif 000006
【図５】
2011035448.tif 000007
【図６】
2011035448.tif 000008